(57)【要約】【課題】  装置の大型化やコストアップにつながる部品や資材の追加なしに、しかも、無駄なトナー消費も抑えて、白色度の低い記録媒体に対しても良好な色再現性を実現する。【解決手段】  記録媒体にトナー像が転写される前の搬送経路上にて記録媒体に対して白色光を照射し、記録媒体からの反射光をブルー光に感度が高い第１の受光素子と、グリーン光に感度が高い第２の受光素子と、レッド光に感度が高い第３の受光素子によってそれぞれ受光し、第１の受光素子の受光量が基準値に比較して少なければイエロートナー像に対応する潜像を形成する露光強度を弱くし、第２の受光素子の受光量が基準値に比較して少なければマゼンタトナー像に対応する潜像を形成する露光強度を弱くし、第３の受光素子の受光量が基準値に比較して少なければシアントナー像に対応する潜像を形成する露光強度を弱くする。【選択図】        図１
2005208099.tif 000002
【特許請求の範囲】
【請求項１】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して白色光を照射し、前記記録媒体からの反射光をブルー光に感度が高い第１の受光素子と、グリーン光に感度が高い第２の受光素子と、レッド光に感度が高い第３の受光素子によってそれぞれ受光し、
前記第１の受光素子の受光量が基準値に比較して少なければイエロートナー像に対応する潜像を形成する露光強度を弱くし、前記第２の受光素子の受光量が基準値に比較して少なければマゼンタトナー像に対応する潜像を形成する露光強度を弱くし、前記第３の受光素子の受光量が基準値に比較して少なければシアントナー像に対応する潜像を形成する露光強度を弱くすることを特徴とする画像形成装置。
【請求項２】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、前記記録媒体からの反射光を可視光領域全域に感度を有する１個の受光素子によって受光し、
前記第１の発光素子の光からの受光量が基準値に比較して少なければイエロートナー像に対応する潜像を形成する露光強度を弱くし、前記第２の発光素子の光からの受光量が基準値に比較して少なければマゼンタトナー像に対応する潜像を形成する露光強度を弱くし、前記第３の発光素子の光からの受光量が基準値に比較して少なければシアントナー像に対応する潜像を形成する露光強度を弱くすることを特徴とする画像形成装置。
【請求項３】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して白色光を照射し、前記記録媒体からの反射光をブルー光に感度が高い第１の受光素子と、グリーン光に感度が高い第２の受光素子と、レッド光に感度が高い第３の受光素子によってそれぞれ受光し、
前記第１の受光素子の受光量が基準値に比較して少なければイエロートナー像形成時の像形成体帯電電位と現像剤担持体電位の差を大きくし、前記第２の受光素子の受光量が基準値に比較して少なければマゼンタトナー像形成時の像形成体帯電電位と現像剤担持体電位の差を大きくし、前記第３の受光素子の受光量が基準値に比較して少なければシアントナー像形成時の像形成体帯電電位と現像剤担持体電位の差を大きくすることを特徴とする画像形成装置。
【請求項４】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、前記記録媒体からの反射光を可視光領域全域に感度を有する１個の受光素子によって受光し、
前記第１の発光素子の光からの受光量が基準値に比較して少なければイエロートナー像形成時の像形成体帯電電位と現像剤担持体電位の差を大きくし、前記第２の発光素子の光からの受光量が基準値に比較して少なければマゼンタトナー像形成時の像形成体帯電電位と現像剤担持体電位の差を大きくし、前記第３の発光素子の光からの受光量が基準値に比較して少なければシアントナー像形成時の像形成体帯電電位と現像剤担持体電位の差を大きくすることを特徴とする画像形成装置。
【請求項５】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して白色光を照射し、前記記録媒体からの反射光をブルー光に感度が高い第１の受光素子と、グリーン光に感度が高い第２の受光素子と、レッド光に感度が高い第３の受光素子によってそれぞれ受光し、
前記第１の受光素子の受光量に応じて複数用意されたγ補正カーブの中から最適なカーブを選択してイエロートナー像を形成し、前記第２の受光素子の受光量に応じて複数用意されたγ補正カーブの中から最適なカーブを選択してマゼンタトナー像を形成し、前記第３の受光素子の受光量に応じて複数用意されたγ補正カーブの中から最適なカーブを選択してシアントナー像を形成することを特徴とする画像形成装置。
【請求項６】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、記録媒体からの反射光を可視光領域全域に感度を有する１個の受光素子によって受光し、
前記第１の発光素子の光からの受光量に応じて複数用意されたγ補正カーブの中から最適なカーブを選択してイエロートナー像を形成し、前記第２の発光素子の光からの受光量に応じて複数用意されたγ補正カーブの中から最適なカーブを選択してマゼンタトナー像を形成し、前記第３の発光素子の光からの受光量に応じて複数用意されたγ補正カーブの中から最適なカーブを選択してシアントナー像を形成することを特徴とする画像形成装置。
【請求項７】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して白色光を照射し、記録媒体からの反射光をブルー光に感度が高い第１の受光素子と、グリーン光に感度が高い第２の受光素子と、レッド光に感度が高い第３の受光素子によってそれぞれ受光し、
前記第１の受光素子の受光量が第１の基準値より少なく第２の基準値以上であればイエロートナー像形成時の潜像露光強度を弱くし、前記第１の受光素子の受光量が第２の基準値より少なければイエロートナー像形成時の潜像露光強度を弱くしたままさらに像形成体帯電電位と現像剤担持体電位を同量変更し、前記第２の受光素子の受光量が第１の基準値より少なく第２の基準値以上であればマゼンタトナー像形成時の潜像露光強度を弱くし、前記第２の受光素子の受光量が第２の基準値より少なければマゼンタトナー像形成時の潜像露光強度を弱くしたままさらに像形成体帯電電位と現像剤担持体電位を同量変更し、前記第３の受光素子の受光量が第１の基準値より少なく第２の基準値以上であればシアントナー像形成時の潜像露光強度を弱くし、前記第３の受光素子の受光量が第２の基準値より少なければシアントナー像形成時の潜像露光強度を弱くしたままさらに像形成体帯電電位と現像剤担持体電位を同量変更することを特徴とする画像形成装置。
【請求項８】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、記録媒体からの反射光を可視光領域全域に感度を有する１個の受光素子によって受光し、
前記第１の発光素子の光からの受光量が第１の基準値より少なく第２の基準値以上であればイエロートナー像形成時の像形成体帯電電位と現像剤担持体電位の差を大きくし、前記第１の発光素子の光からの受光量が第２の基準値より少なければイエロートナー像形成時の像形成体帯電電位と現像剤担持体電位の差を大きくしたままさらに像形成体帯電電位と現像剤担持体電位を同量変更し、前記第２の発光素子の光からの受光量が第１の基準値より少なく第２の基準値以上であればマゼンタトナー像形成時の像形成体帯電電位と現像剤担持体電位の差を大きくし、前記第２の発光素子の光からの受光量が第２の基準値より少なければマゼンタトナー像形成時の像形成体帯電電位と現像剤担持体電位の差を大きくしたままさらに像形成体帯電電位と現像剤担持体電位を同量変更し、前記第３の発光素子の光からの受光量が第１の基準値より少なく第２の基準値以上であればシアントナー像形成時の像形成体帯電電位と現像剤担持体電位の差を大きくし、前記第３の発光素子の光からの受光量が第２の基準値より少なければシアントナー像形成時の像形成体帯電電位と現像剤担持体電位の差を大きくしたままさらに像形成体帯電電位と現像剤担持体電位を同量変更することを特徴とする画像形成装置。
【請求項９】
少なくともイエロートナー像形成手段、マゼンタトナー像形成手段、シアントナー像形成手段を有し、記録媒体上にトナー像を転写してフルカラー画像を形成する電子写真方式の画像形成装置において、
前記記録媒体にトナー像が転写される前の搬送経路上にて前記記録媒体に対して発光のピーク波長がブルー光の領域に位置する第１の発光素子と、グリーン光の領域に位置する第２の発光素子と、レッド光の領域に位置する第３の発光素子の各光をそれぞれ照射し、前記記録媒体からの反射光を可視光領域全域に感度を有する１個の受光素子によって受光し、上記３色の反射光のうち少なくとも１つの反射光の記録媒体領域内での強度変動の最大値が基準値以上である場合には、画像形成条件の変更を行わないことを特徴とする画像形成装置。
【請求項１０】
請求項１から請求項９のいずれか１項に記載の画像形成装置の画像形成条件の変更を実施するか否かを、ユーザーが選択可能としたことを特徴とする画像形成装置。
【発明の詳細な説明】
【技術分野】
【０００１】
本発明は、白色度の低い記録媒体に対する色補正技術に関し、特に、白色度の低い記録媒体に対しても良好な色再現性を実現する色補正技術に関するものである。
【背景技術】
【０００２】
フルカラー画像を形成する画像形成装置は近年急速に普及してきており、一般的に使われるようになっている。それとともに、画像出力に使われる記録媒体も白色度の高い高価な専用紙ばかりではなく、再生紙などの白色度の低い記録媒体も頻繁に使用されるようになっている。
【０００３】
このような白色度の低い記録媒体を画像形成に使用した場合には、形成されたフルカラー画像の色合いが、白色度の高い専用紙に画像形成した場合と比較して異なる場合がある。従ってこのような白色度の低い記録媒体の場合には原稿に対して正確な色再現をすることが難しい。
【０００４】
白色度の低い記録媒体に対しても正確な色再現をするための技術としては、従来にも特許文献１に示されるように、記録媒体に画像を形成する前に白色トナーを記録媒体の全面に印刷するという方法で記録媒体の白色度を高めている。
【０００５】
しかし、上記の従来技術の場合には、通常のフルカラー画像形成装置にて使用されるイエロー、マゼンタ、シアン、ブラックの各色の現像装置や現像剤に加えて、白色トナー用の現像装置や現像剤が必要になり、装置の大型化とコストアップにつながる、という問題点を有している。
【０００６】
また、他の従来技術として、特許文献２に示されるように、記録媒体にシアントナーを均一に微量のせるようにして、記録媒体を視覚的に白く見せるという方法がある。これは、青色領域の反射率が高いほど視覚的に白いと認識される、という人間の目の特性に基づいている。
【０００７】
しかし、この従来技術の問題点としては、画像情報を表現する上で必要な量のトナー以外にもトナーが消費されてしまうことによって、トータルのトナー消費量が増加してしまうことである。
【特許文献１】特開平７−１１４２４１号公報
【特許文献２】特開平１１−２３１６０１号公報
【発明の開示】
【発明が解決しようとする課題】
【０００８】
本発明の目的は、装置の大型化やコストアップにつながる部品や資材の追加なしに、しかも、無駄なトナー消費も抑えて、簡単な方法により白色度の低い記録媒体に対しても良好な色再現性を実現する画像形成装置を提供することにある。
【課題を解決するための手段】
【０００９】
請求項１に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して白色光を照射し、前記記録媒体からの反射光をブルー光に感度が高い第１の受光素子と、グリーン光に感度が高い第２の受光素子と、レッド光に感度が高い第３の受光素子によってそれぞれ受光し、前記第１の受光素子の受光量が基準値に比較して少なければイエロートナー像に対応する潜像を形成する露光強度を弱くし、前記第２の受光素子の受光量が基準値に比較して少なければマゼンタトナー像に対応する潜像を形成する露光強度を弱くし、前記第３の受光素子の受光量が基準値に比較して少なければシアントナー像に対応する潜像を形成する露光強度を弱くする画像形成装置である。
【００１０】
請求項２に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、前記記録媒体からの反射光を可視光領域全域に感度を有する１個の受光素子によって受光し、前記第１の発光素子の光からの受光量が基準値に比較して少なければイエロートナー像に対応する潜像を形成する露光強度を弱くし、前記第２の発光素子の光からの受光量が基準値に比較して少なければマゼンタトナー像に対応する潜像を形成する露光強度を弱くし、前記第３の発光素子の光からの受光量が基準値に比較して少なければシアントナー像に対応する潜像を形成する露光強度を弱くする画像形成装置である。
【００１１】
請求項３に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して白色光を照射し、前記記録媒体からの反射光をブルー光に感度が高い第１の受光素子と、グリーン光に感度が高い第２の受光素子と、レッド光に感度が高い第３の受光素子によってそれぞれ受光し、前記第１の受光素子の受光量が基準値に比較して少なければイエロートナー像形成時の像形成体帯電電位と現像剤担持体電位の差を大きくし、前記第２の受光素子の受光量が基準値に比較して少なければマゼンタトナー像形成時の像形成体帯電電位と現像剤担持体電位の差を大きくし、前記第３の受光素子の受光量が基準値に比較して少なければシアントナー像形成時の像形成体帯電電位と現像剤担持体電位の差を大きくする画像形成装置である。
【００１２】
請求項４に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、前記記録媒体からの反射光を可視光領域全域に感度を有する１個の受光素子によって受光し、前記第１の発光素子の光からの受光量が基準値に比較して少なければイエロートナー像形成時の像形成体帯電電位と現像剤担持体電位の差を大きくし、前記第２の発光素子の光からの受光量が基準値に比較して少なければマゼンタトナー像形成時の像形成体帯電電位と現像剤担持体電位の差を大きくし、前記第３の発光素子の光からの受光量が基準値に比較して少なければシアントナー像形成時の像形成体帯電電位と現像剤担持体電位の差を大きくする画像形成装置である。
【００１３】
請求項５に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して白色光を照射し、前記記録媒体からの反射光をブルー光に感度が高い第１の受光素子と、グリーン光に感度が高い第２の受光素子と、レッド光に感度が高い第３の受光素子によってそれぞれ受光し、前記第１の受光素子の受光量に応じて複数用意されたγ補正カーブの中から最適なカーブを選択してイエロートナー像を形成し、前記第２の受光素子の受光量に応じて複数用意されたγ補正カーブの中から最適なカーブを選択してマゼンタトナー像を形成し、前記第３の受光素子の受光量に応じて複数用意されたγ補正カーブの中から最適なカーブを選択してシアントナー像を形成する画像形成装置である。
【００１４】
請求項６に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、記録媒体からの反射光を可視光領域全域に感度を有する１個の受光素子によって受光し、前記第１の発光素子の光からの受光量に応じて複数用意されたγ補正カーブの中から最適なカーブを選択してイエロートナー像を形成し、前記第２の発光素子の光からの受光量に応じて複数用意されたγ補正カーブの中から最適なカーブを選択してマゼンタトナー像を形成し、前記第３の発光素子の光からの受光量に応じて複数用意されたγ補正カーブの中から最適なカーブを選択してシアントナー像を形成する画像形成装置である。
【００１５】
請求項７に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して白色光を照射し、記録媒体からの反射光をブルー光に感度が高い第１の受光素子と、グリーン光に感度が高い第２の受光素子と、レッド光に感度が高い第３の受光素子によってそれぞれ受光し、前記第１の受光素子の受光量が第１の基準値より少なく第２の基準値以上であればイエロートナー像形成時の潜像露光強度を弱くし、前記第１の受光素子の受光量が第２の基準値より少なければイエロートナー像形成時の潜像露光強度を弱くしたままさらに像形成体帯電電位と現像剤担持体電位を同量変更し、前記第２の受光素子の受光量が第１の基準値より少なく第２の基準値以上であればマゼンタトナー像形成時の潜像露光強度を弱くし、前記第２の受光素子の受光量が第２の基準値より少なければマゼンタトナー像形成時の潜像露光強度を弱くしたままさらに像形成体帯電電位と現像剤担持体電位を同量変更し、前記第３の受光素子の受光量が第１の基準値より少なく第２の基準値以上であればシアントナー像形成時の潜像露光強度を弱くし、前記第３の受光素子の受光量が第２の基準値より少なければシアントナー像形成時の潜像露光強度を弱くしたままさらに像形成体帯電電位と現像剤担持体電位を同量変更する画像形成装置である。
【００１６】
請求項８に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して発光のピーク波長がブルー光の領域に位置する第１の発光素子とグリーン光の領域に位置する第２の発光素子とレッド光の領域に位置する第３の発光素子の光をそれぞれ照射し、記録媒体からの反射光を可視光領域全域に感度を有する１個の受光素子によって受光し、前記第１の発光素子の光からの受光量が第１の基準値より少なく第２の基準値以上であればイエロートナー像形成時の像形成体帯電電位と現像剤担持体電位の差を大きくし、前記第１の発光素子の光からの受光量が第２の基準値より少なければイエロートナー像形成時の像形成体帯電電位と現像剤担持体電位の差を大きくしたままさらに像形成体帯電電位と現像剤担持体電位を同量変更し、前記第２の発光素子の光からの受光量が第１の基準値より少なく第２の基準値以上であればマゼンタトナー像形成時の像形成体帯電電位と現像剤担持体電位の差を大きくし、前記第２の発光素子の光からの受光量が第２の基準値より少なければマゼンタトナー像形成時の像形成体帯電電位と現像剤担持体電位の差を大きくしたままさらに像形成体帯電電位と現像剤担持体電位を同量変更し、前記第３の発光素子の光からの受光量が第１の基準値より少なく第２の基準値以上であればシアントナー像形成時の像形成体帯電電位と現像剤担持体電位の差を大きくし、前記第３の発光素子の光からの受光量が第２の基準値より少なければシアントナー像形成時の像形成体帯電電位と現像剤担持体電位の差を大きくしたままさらに像形成体帯電電位と現像剤担持体電位を同量変更することを特徴とする画像形成装置。
【００１７】
請求項９に記載の発明は、少なくともイエロートナー像形成手段、マゼンタトナー像形成手段、シアントナー像形成手段を有し、記録媒体上にトナー像を転写してフルカラー画像を形成する電子写真方式の画像形成装置において、前記記録媒体にトナー像が転写される前の搬送経路上にて前記記録媒体に対して発光のピーク波長がブルー光の領域に位置する第１の発光素子と、グリーン光の領域に位置する第２の発光素子と、レッド光の領域に位置する第３の発光素子の各光をそれぞれ照射し、前記記録媒体からの反射光を可視光領域全域に感度を有する１個の受光素子によって受光し、上記３色の反射光のうち少なくとも１つの反射光の記録媒体領域内での強度変動の最大値が基準値以上である場合には、画像形成条件の変更を行わない画像形成装置である。
【００１８】
請求項１０に記載の発明は、請求項１から請求項９のいずれか１項に記載の画像形成装置の画像形成条件の変更を実施するか否かを、ユーザーが選択可能とした画像形成装置である。
【発明の効果】
【００１９】
本発明の色補正技術によれば、追加の画像形成手段（現像器等）や資材を用いることなく、また背景部にトナーを現像させて無駄なトナー消費をすることもなく、簡単な構成／制御で白色度の低い記録媒体に対して良好な色再現性を実現することができる。
【００２０】
さらに本発明は、白色度の低い記録媒体の場合に、背景部にトナーを付着させることなく、その上、画像部のトナー付着量を少なくするので、トナー消費量の低減にもつながる。
【発明を実施するための最良の形態】
【００２１】
以下、本発明の実施の形態を説明する。なお、本欄の記載は請求項の技術的範囲や用語の意義を限定するものではない。
【００２２】
［画像形成装置］
図１は、本発明に係る画像形成装置の構成図である。
【００２３】
画像形成装置Ａは、タンデム型カラー画像形成装置と称せられるもので、複数組の画像形成手段１０Ｙ，１０Ｍ，１０Ｃ，１０Ｋと、ベルト状の中間転写体６と給紙装置２０及び後述する定着装置３０とからなる。
【００２４】
画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００２５】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。
【００２６】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００２７】
４Ｙ，４Ｍ，４Ｃ，４Ｋは、イエロー（Ｙ）、マゼンタ（Ｍ）、シアン（Ｃ）及び黒（Ｋ）の小粒径トナーとキャリアからなる二成分現像剤を収容する現像装置である。
【００２８】
中間転写体６は、複数のローラにより巻回され、回動可能に支持されている。
【００２９】
画像形成手段１０Ｙ，１０Ｍ，１０Ｃ，１０Ｋより形成された各色の画像は、回動する中間転写体６上に一次転写手段７Ｙ，７Ｍ，７Ｃ，７Ｋにより逐次転写されて（一次転写）、合成されたカラー画像が形成される。
【００３０】
給紙装置２０の給紙カセット２１内に収容された記録媒体（以下、記録紙と称す）Ｓは、給紙手段（第１給紙部）２２により給紙され、給紙ローラ２３，２４，２５，２６、レジストローラ（第２給紙部）２７等を経て、二次転写手段（転写ローラ）９に搬送され、記録紙Ｓ上にカラー画像が転写される（二次転写）。
【００３１】
なお、画像形成装置Ａの下部に鉛直方向に縦列配置された３段の給紙カセット２１は、ほぼ同一の構成をなすから、同符号を付した。また、３段の給紙手段２２も、ほぼ同一の構成をなすから、同符号を付してある。給紙カセット２１、給紙手段２２を含めて給紙装置２０と称す。
【００３２】
カラー画像が転写された記録紙Ｓは、定着装置３０において記録紙Ｓが挟持され、熱と圧力とを加えることにより記録紙Ｓ上のカラートナー像（或いはトナー像）が定着されて記録紙Ｓ上に固定され、排紙ローラ２８に挟持されて機外の排紙トレイ２９上に載置される。
【００３３】
一方、二次転写手段９により記録紙Ｓにカラー画像を転写した後、記録紙Ｓを曲率分離した中間転写体６は、クリーニング手段８により残留トナーが除去される。
【００３４】
定着処理された記録紙Ｓを反転排紙する場合には記録紙Ｓは定着装置３０と排紙ローラ２８の中間に配置された分岐板２８Ａの図示右側の搬送路を通過し、下方の搬送路ｒ１に搬送された後、逆転搬送されて分岐板２８Ａの図示左側の搬送路ｒ２を通過し、排紙ローラ２８により装置外に排出される。
【００３５】
記録紙Ｓの両面に複写する場合には、記録紙Ｓの第１面に形成した画像を定着処理した後、記録紙Ｓを搬送路ｒ１、さらに搬送路ｒ３に導入した後、逆転搬送し、搬送路ｒ４に搬送した後、上方に迂回し給紙ローラ２６により搬送する。記録紙Ｓは画像形成手段１０Ｙ，１０Ｍ，１０Ｃ，１０Ｋにおいて第２面に各色の画像が両面に形成され、定着装置３０により加熱定着処理され、排紙ローラ２８によって装置外に排出される。
【００３６】
なお、画像形成装置Ａの説明においては、カラー画像形成にて説明したが、モノクロ画像を形成する場合も本発明に含まれるものである。
【００３７】
［画像形成手段］
図２は画像形成手段の断面図である。
【００３８】
画像形成手段１０Ｙ，１０Ｍ，１０Ｃ，１０Ｋを代表して画像形成手段１０と称す。感光体ドラム１Ｙ，１Ｍ，１Ｃ，１Ｋを感光体ドラム１と称し、帯電手段２Ｙ，２Ｍ，２Ｃ，２Ｋを帯電手段２と称し、露光手段３Ｙ，３Ｍ，３Ｃ，３２Ｋを露光手段３と称し、現像装置４Ｙ，４Ｍ，４Ｃ，４Ｋを現像装置４と称す。
【００３９】
帯電手段２のコロナワイヤには、直流電源Ｅ３による５〜１０ｋＶの高電圧が印加され、感光体ドラム１の表面に均一な一定電位が帯電される。
【００４０】
露光手段３の露光系にはレーザ光等が用いられ、パルス幅変調により露光量が制御される。
【００４１】
現像装置４は、現像装置本体４０、現像剤担持体４１、現像剤層厚規制部材４２、搬送スクリュー４３、攪拌スクリュー４４、現像剤回収搬送部材４５、回収スクリュー４６、トナー濃度センサ４７等から構成されている。現像スリーブ４１Ａと磁界発生手段４１Ｂとから成る現像剤担持体４１は、静電潜像を担持する感光体ドラム１に対向して配置され、回転可能に支持されている。現像剤担持体４１には、現像バイアスとして交流電源Ｅ１による交流電圧と、直流電源Ｅ２による直流電圧とが重畳される。
【００４２】
［現像剤］
現像剤は、磁性キャリアと非磁性重合トナーとから成る二成分現像剤である。磁性キャリアの１キロエルステッド中の磁化量は２０〜７０ｅｍｕ／ｇの範囲にあり、磁性キャリアの粒径は５０μｍ以下の磁性キャリアである。非磁性重合トナーの粒径は７．５μｍ以下である。
【００４３】
［地色検知手段の配置］
給紙ローラ２５の記録紙搬送方向下流側で、両面複写用の搬送路ｒ４の下流側との合流位置の下流側には、記録紙Ｓの地色を検知する地色検知手段５０が配置されている。
【００４４】
［記録紙の地色の測定］
図３は、色補正制御手段のブロック図である。
【００４５】
本発明の実施における色補正制御の最初の工程は、感光体ドラム１Ｙ，１Ｍ，１Ｃ，１Ｋに画像形成する前に記録紙Ｓの地色を光学的に測定しておくことである。地色検知手段５０の測定位置としては、記録紙Ｓが給紙カセット２１より給紙されてから二次転写部に至るまでの間で行う。測定時間としては、各色潜像の感光体ドラム１Ｙ，１Ｍ，１Ｃ，１Ｋへの書込開始前に行う。そして、記録紙Ｓの地色味の測定結果に応じて、各色の画像形成条件を変更する。
【００４６】
記録紙Ｓの地色を測定する手段として、本発明では大きく２つの方法を採用する。
【００４７】
第１の方法は、記録紙Ｓに対して白色光を照射して、記録紙Ｓからの反射光をそれぞれ光の３原色（ブルー光、グリーン光、レッド光）に感度のピークを有する３個の受光素子で受光する方法である。〈請求項１，３，５，７〉
このとき、ブルー光に感度の高い第１の受光素子の受光量が少なければ（反射光のブルー光成分が少なければ）、記録紙Ｓにはブルー光の補色であるイエロー成分の色味が強いことになるので、記録紙Ｓは黄色味を帯びて見える。また、グリーン光に感度の高い第２の受光素子の受光量が少なければ（反射光のグリーン光成分が少なければ）、記録紙Ｓにはグリーン光の補色であるマゼンタ成分の色味が強いことになる。同様に、レッド光に感度の高い第３の受光素子の受光量が少なければ（反射光のレッド光成分が少なければ）、記録紙Ｓにはレッド光の補色であるシアン成分の色味が強いことになる。
【００４８】
白色光の照射手段（発光素子）としては、ハロゲンランプ等の一般的な照明ランプや白色ＬＥＤ等があるが、特に限定されるものではなく、波長４００〜７００ｎｍ程度の可視光領域全域にわたって発光スペクトルがあるものであればかまわない。
【００４９】
また、受光素子としては、フォトダイオードＰＤやフォトトランジスタＰＴｒ等が使用される。
【００５０】
記録紙地色測定手段の第２の方法は、記録紙に対して発光のピーク波長がブルー光の領域に位置する第１の発光素子ＬＥＤ１と、発光のピーク波長がグリーン光の領域に位置する第２の発光素子ＬＥＤ２と、発光のピーク波長がレッド光の領域に位置する第３の発光素子ＬＥＤ３と、によってそれぞれ照射し、記録紙Ｓからの反射光を可視光領域全域に感度を有する１個の受光素子によって受光する方法である。〈請求項２，４，６，８，９〉
このとき、第１の発光素子ＬＥＤ１のブルー光の反射光が少なければ、記録紙Ｓにはブルー光の補色であるイエロー成分の色味が強いことになるので、記録紙Ｓは黄色味を帯びて見える。また、第２の発光素子ＬＥＤ２のグリーン光の反射光が少なければ、記録紙Ｓにはグリーン光の補色であるマゼンタ成分の色味が強いことになる。同様に、第３の発光素子ＬＥＤ３のレッド光の反射光が少なければ、記録紙Ｓにはレッド光の補色であるシアン成分の色味が強いことになる。
【００５１】
発光素子としてはＬＥＤが一般的である。近年、高輝度の青色ＬＥＤが普及してきたので光の３原色全てをＬＥＤで実現することは容易になった。さらに、ＬＥＤ以外にもＥＬ発光素子や半導体レーザー（ＬＤ）等が発光素子の候補として挙げられる。また、受光素子としては、フォトダイオードＰＤやフォトトランジスタＰＴｒ等が使用される。
【００５２】
［階調性の補正（色補正）］
記録紙Ｓの地色が色味を帯びていると画像の階調性に影響を及ぼすので、各色（イエロー、マゼンタ、シアン）の階調性が出来る限り白色度が高い記録紙Ｓの場合に近くなるようにする必要がある。
【００５３】
記録紙Ｓにイエロー成分の色味が強く黄色味を帯びて見える場合の色補正方法を例にとって説明する。（なお、マゼンタ成分やシアン成分の色味が強い場合についても、同様の補正をおこなうので、説明を省略する。）
階調性の表現にはいくつかの方法があるが、ここでは主に、各画素の露光時間を変えることで階調性を表現するパルス幅変調（ＰＷＭ）方式で説明をする。階調性とは、簡単に言うと、“ＰＷＭ値に対する出力画像濃度”のことである。
【００５４】
図４（ａ）にイエロートナー画像の階調性カーブ（白色度の高低比較）を示す。白色度が高い記録紙Ｓの場合の階調性カーブに対して、イエロー成分の色味が強い記録紙Ｓに形成したイエロー画像の階調性カーブは、記録紙Ｓの色味分の濃度（縦軸を反射濃度としている）分だけ階調性カーブが上にシフトした状態になっている。従って、記録紙Ｓの背景部分が黄味がかって見えるのみならず、画像部分（トナーが載った部分）の濃度でも、背景部分の濃度が加算されている分だけ適正濃度よりも濃くなっている。よって、適正な階調性カーブからは外れた状態になっている。
【００５５】
本発明では、白色度の低い記録紙Ｓを使用した場合に起こる階調性カーブの適正状態からのズレを画像形成条件の変更により補正する（色補正）。
【００５６】
［色補正の実施方法］
本発明における色補正の実施方法について、イエロー画像を例に説明する。
【００５７】
〈色補正の第１の方法〉
第１の方法は、潜像形成する際の露光強度を変更する方法である。
【００５８】
記録紙Ｓの色味を記録紙地色測定手段により光学的に測定した結果、反射光のブルー成分が弱いほど記録紙Ｓは黄味がかっている（イエロー成分の色味が強い）。そこでブルー光を受光した受光素子の出力電圧が低い（ブルー光が弱い）ほど、イエロートナー画像形成時の露光強度を弱め、階調性カーブの立ち上がりを寝かせるように色補正をする。〈請求項１，２〉。
【００５９】
図４（ｂ）は露光強度を変更した場合の感光体電位の変化を示す。図４（ｃ）は記録紙Ｓの色味が薄い場合の色補正の例を示す。
【００６０】
潜像の露光強度を弱くすると、ハイライトやハーフトーン部では感光体電位が上昇するために濃度が薄くなるが、ベタ部の電位は殆ど上昇しない（図４（ｂ）参照）ので、ベタ部の反射濃度は殆ど薄くならない。したがって、この補正方法は、低〜中濃度部の濃度を下げるための補正方法であり、記録紙Ｓの色味が低〜中濃度部にしか影響しないような比較的色味が薄い記録紙Ｓに対する色補正に実施される方法である（図４（ｃ）参照）。
【００６１】
〈色補正の第２の方法〉
第２の方法は、感光体帯電電位と現像剤担持体電位の差（かぶりマージン）を変更する方法である。
【００６２】
記録紙Ｓの色味を光学的に測定した結果、ブルー光を受光した受光素子の出力電圧が低い（ブルー光が弱い、記録紙Ｓはイエロー成分の色味が強い）ほど、イエロートナー画像形成時のかぶりマージンを大きくし、階調性カーブの立ち上がりを寝かせるように色補正をする〈請求項３，４〉。
【００６３】
図５は、かぶりマージンを変更した場合の感光体電位の変化を示す特性図である。
【００６４】
かぶりマージンを大きくした場合もに、露光強度を弱くした場合と同様に、ハイライトやハーフトーン部では感光体電位が上昇する（現像剤担持体電位に対して）ために濃度が薄くなるが、ベタ部の電位は殆ど上昇しない（図５参照）のでベタ部の濃度は殆ど薄くならない。したがって、この補正方法も、低〜中濃度部の濃度を下げるための補正方法であり、記録紙Ｓの色味が低〜中濃度部にしか影響しないような比較的色味が薄い記録紙Ｓに対する色補正に実施される方法である（図４（ｃ）参照）。
【００６５】
〈色補正の第３の方法〉
第３の方法は、複数用意されているγ補正カーブ（階調補正カーブ）の中から、受光素子の出力電圧に応じて最適なγ補正カーブを選択する方法である〈請求項５，６〉。
【００６６】
図６は、γ補正カーブの例を示す特性図である。
【００６７】
ここで、γ補正カーブとは、”画像処理部から書込部に渡された画像データに対するＰＷＭ値の対応関係”のことであり、前出の”階調性カーブ（ＰＷＭ値対画像濃度）”のことではない。γ補正カーブを変更することによって異なった階調性の画像にすることができる（階調性カーブが変化する）。
【００６８】
第１，第２の方法では、露光強度やかぶりマージンを変更した結果として階調性カーブが変化しているが、この第３の方法では、画像処理部が持っている複数のγ補正カーブ（図６参照）の中から、受光素子の出力電圧（記録紙Ｓの色味の濃さ）に応じた最適なγ補正カーブを制御部のプログラムが選択をして画像形成を実施する。
【００６９】
第１，第２の方法が、低〜中濃度部の濃度を下げるための方法であり、記録紙Ｓの色味が低〜中濃度部にしか影響しないような比較的色味が薄い記録紙Ｓに対する色補正に実施される方法であったのに対して、この第３の方法はγ補正カーブの設計に自由度があるため、低〜中濃度部のみならずベタ部等の高濃度部に対しても濃度を下げることが出来るので、低〜高濃度部のすべての領域に亘って階調を補正することが可能となり、記録紙Ｓの色味が高濃度部にも影響するような比較的色味が濃い記録紙Ｓに対する色補正にも対応可能な方法である。図７（ａ）は記録紙Ｓの色味が濃い場合の色補正の例を示す特性図である。
【００７０】
〈色補正の第４の方法〉
図７（ｂ）は感光体の電位２段階変更（その１：露光強度低下と現像電位低下）を示す特性図である。
【００７１】
第４の方法は、記録紙Ｓの色味の濃さによって色補正の手段を切り換えるものである。
【００７２】
記録紙Ｓの色味が薄めであり、受光素子の受光量が通常よりもやや少なめ（第１の基準値よりも少なく第２の基準値以上）となる場合には、露光強度を弱めて階調性カーブのうちの低〜中濃度部の濃度を下げる補正をおこない、記録紙Ｓの色味が濃いめであり、受光素子の受光量が通常よりもかなり少ない（第２の基準値よりも少ない）場合には、露光強度を弱めて低〜中濃度部の濃度を下げるとともに、現像剤担持体電位を下げて現像電位を小さくする（図７（ｂ）参照）ことで高濃度部の濃度も下げ、低〜高濃度部のすべての領域に亘って階調を補正する、という方法である。従って、色味が薄めのものから濃いめのものまで様々な記録紙Ｓに対応可能な色補正方法である〈請求項７〉。
【００７３】
なお、記録紙Ｓの色味が薄い場合の階調性カーブの補正は「図４（ｃ）」、記録紙Ｓの色味が濃い場合の階調性カーブの補正は「図７（ａ）」を参照。
【００７４】
なお、現像剤担持体電位を下げる際には感光体帯電電位も同量下げて、両者の差（かぶりマージン）が変化しないようにする。
【００７５】
〈色補正の第５の方法〉
図７（ｃ）は感光体の電位２段階変更（その２：かぶりマージン上昇と現像電位低下）を示す特性図である。
【００７６】
第５の方法も、記録紙Ｓの色味の濃さによって色補正の手段を切り換えるものである。
【００７７】
記録紙Ｓの色味が薄めであり、受光素子の受光量が通常よりもやや少なめ（第１の基準値よりも少なく第２の基準値以上）となる場合には、感光体帯電電位と現像剤担持体電位の差（かぶりマージン）を大きくして階調性カーブのうちの低〜中濃度部の濃度を下げる補正をおこない、記録紙Ｓの色味が濃いめであり、受光素子の受光量が通常よりもかなり少ない（第２の基準値よりも少ない）場合には、かぶりマージンを大きくして低〜中濃度部の濃度を下げるとともに、現像剤担持体電位を下げて現像電位を小さくする（図７（ｃ）参照）ことで高濃度部の濃度も下げ、低〜高濃度部のすべての領域に亘って階調を補正する、という方法である。従ってこの方法も、色味が薄めのものから濃いめのものまで様々な記録紙Ｓに対応可能な色補正方法である〈請求項８〉。
（記録紙の色味が薄い場合の階調性カーブの補正は「図４（ｃ）」、記録紙Ｓの色味が濃い場合の階調性カーブの補正は「図７（ａ）」を参照）
なお、現像電位を小さく際には、かぶりマージンが変化しないように、現像剤担持体電位と感光体帯電電位を同量下げる。
【００７８】
［記録紙Ｓの色味の誤検知対策］
なお、記録紙Ｓからの反射光によって色味を測定する際、以下のよう場合には色味を誤検知する恐れがある。
【００７９】
まず第１に、薄めの記録紙Ｓに自動で両面画像を形成する場合。この場合には、２面目の給紙時の記録紙色味測定の際、記録紙Ｓが薄いために１面目の画像が記録紙Ｓからの反射光強度に影響を及ぼし、記録紙Ｓの実際の色味の濃さよりも、さら色味が濃いと判断してしまう可能性がある。
【００８０】
しかし、１面目に画像が形成されていて反射光強度に影響が有る場合、反射光強度は１面目の画像パターンに応じて変動するので、反射光強度の変動幅に閾値を設定して、閾値以上の変動を検知した場合には、反射光強度応じた色補正の実施をおこなわないようにすればよい〈請求項９〉。
【００８１】
この場合には、１面目の給紙の際の記録紙色味測定の結果に応じて色補正を実施するようにしても良い。
【００８２】
第２に、すでに印字されている記録紙Ｓに対して更に画像形成する場合は、たとえ片面画像形成でも、記録紙色味測定の際に画像パターンに応じた反射光強度の変動が起こりうる。従ってこの場合でも、反射光強度の変動幅に閾値を設定して、閾値以上の変動を検知した場合には、反射光強度応じた色補正の実施をおこなわないようにすればよい。
【００８３】
さらに、以上で説明した色補正を実施するか否かを、ユーザーが表示パネル又は操作パネルにより選択できるようにする方法もある〈請求項１０〉。
【実施例】
【００８４】
〈画像形成条件〉
画像形成装置：Ａ４ヨコ  ６５枚／分機（タンデム型フルカラー機、図１参照）
プロセス線速：３２０ｍｍ／ｓｅｃ
感光体ドラム直径：６０ｍｍ
感光体帯電電圧ＶＨ：  −７００Ｖ
現像剤担持体電位Ｖｂｉａｓ：  −６００Ｖ
感光体ベタ露光電位ＶＬ：  −５０Ｖ
現像バイアスＡＣ成分：  １ｋＶｐ−ｐ  正弦波  ５ｋＨｚ
潜像露光手段：  半導体レーザー（波長７８０ｎｍ）
現像剤担持体〜感光体距離：  約０．３５ｍｍ
現像剤担持体上の現像剤搬送量：  約２５ｍｇ／ｃｍ2
〈色補正制御内容〉
制御１（白色光照射→３個のフォトトランジスタＰＴｒで受光、請求項１）
制御２（３色ＬＥＤ照射→１個のＰＴｒで受光、請求項２）
制御１と制御２共通内容：ＲＧＢ各色受光量とも、記録紙Ｓからの反射光強度が白色基準板からの反射光の９０％以下になった場合に、露光強度を弱める制御を行う（１０％ダウン）。
【００８５】
制御３（白色光照射→３個のフォトトランジスタＰＴｒで受光、請求項３）
制御４（３色ＬＥＤ照射→１個のＰＴｒで受光、請求項４）
制御３と制御４共通内容：ＲＧＢ各色受光量とも、記録紙Ｓからの反射光強度が白色基準板からの反射光の９０％以下になった場合に、かぶりマージン（ＶＨ−Ｖｂｉａｓ）を大きくする制御を行う。ＶＨ−Ｖｂｉａｓ：１００Ｖ→１５０Ｖ
制御５（白色光照射→３個のフォトトランジスタＰＴｒで受光、請求項５）
制御６（３色ＬＥＤ照射→１個のＰＴｒで受光、請求項６）
制御５と制御６共通内容：ＲＧＢ各色受光量とも、記録紙Ｓからの反射光強度が白色基準板からの反射光の９０％以下になった場合に、色味が薄い記録紙用のγ補正カーブを選択する。さらに記録紙からの反射光強度が白色基準板からの反射光の８０％以下になった場合には、色味が濃い記録紙用のγ補正カーブを選択する。
【００８６】
制御７（白色光照射→３個のフォトトランジスタＰＴｒで受光、請求項７）
ＲＧＢ各色受光量とも、記録紙Ｓからの反射光強度が白色基準板からの反射光の９０％以下になった場合に、露光強度を弱める制御をおこなう（１０％ダウン）。さらに記録紙からの反射光強度が白色基準板からの反射光の８０％以下になった場合には、露光強度を弱めたままさらに現像電位（Ｖｂｉａｓ−ＶＬ）を小さくする制御を行う。
【００８７】
Ｖｂｉａｓ−ＶＬ：５５０Ｖ→４５０Ｖ、（ＶＨ−Ｖｂｉａｓは１００Ｖのまま）。
【００８８】
制御８（３色ＬＥＤ照射→１個のＰＴｒで受光、請求項８）
ＲＧＢ各色受光量とも、記録紙Ｓからの反射光強度が白色基準板からの反射光の９０％以下になった場合に、かぶりマージン（ＶＨ−Ｖｂｉａｓ）を大きくする制御を行う（ＶＨ−Ｖｂｉａｓ：１００Ｖ→１５０Ｖ）。さらに記録紙Ｓからの反射光強度が白色基準板からの反射光の８０％以下になった場合には、かぶりマージンを大きくしたままさらに現像電位（Ｖｂｉａｓ−ＶＬ）を小さくする制御を行う。
【００８９】
Ｖｂｉａｓ−ＶＬ：５５０Ｖ→４５０Ｖ、（ＶＨ−Ｖｂｉａｓは１５０Ｖのまま）。
【００９０】
［効果確認テスト］
〈色再現性テスト１〉
ＹＭＣＫＲＧＢの７色がぞれぞれ２０階調のパッチがある原稿を複写して、複写物と原稿の色差を測定した。１４０個のパッチのうち、原稿と複写物の色差が５以内（このレベルを実用レベルとした）となったパッチの個数の割合（パーセンテージ）を評価した。
【００９１】
記録紙Ｓとしては、イエロー絶対反射濃度０．１５の記録紙Ｓ１（色味が薄い記録紙）とイエロー絶対反射濃度０．３５の記録紙Ｓ２（色味が濃い記録紙）の２種類を使用した。
【００９２】
色差結果とトナー消費量の測定結果を表１に示す。
【００９３】
【表１】
2005208099.tif 000003
【００９４】
比較例：特開平１１−２３１６０１号公報に記載カラー画像形成装置の制御（白色度が低く黄味がかっている記録紙に対して、シアントナーを薄くかぶり現像させる制御）。
【００９５】
本発明の制御を使用した場合、記録紙Ｓ１に対しては制御１〜８により比較例よりも良好な色再現性能を示した。記録紙Ｓ２に対しては制御１〜４により比較例と同等の色再現性能を示した。また、制御５〜８により比較例よりも良好な色再現性能を示した。一方、トナー消費量は、マゼンタとブラックの２色は比較例と同等だったが、イエローとシアンの２色は記録紙Ｓ１で比較例よりも５％程度少なく、記録紙Ｓ２では比較例よりも１０％程度少なくなり、優れた性能を示した。
【００９６】
〈色再現性テスト２〉
テスト内容は色再現性テスト１と同じだが、使用した記録紙は、シアン絶対反射濃度０．１５の記録紙Ｓ３（色味が薄い記録紙）とシアン絶対反射濃度０．３５の記録紙Ｓ４（色味が濃い記録紙）の２種類。
【００９７】
色差結果とトナー消費量を表２に示す。
【００９８】
【表２】
2005208099.tif 000004
【００９９】
比較例：特開平１１−２３１６０１号公報に記載のカラー画像形成装置の制御（白色度が低く黄味がかっている記録紙に対して、シアントナーを薄くかぶり現像させる制御）。
【０１００】
本発明の制御を使用した場合、記録紙Ｓ３、記録紙Ｓ４のいずれに対しても比較例よりも良好な色再現性能を示した。一方、トナー消費量は、イエローとマゼンタとブラックの３色は比較例と同等だったが、シアンは記録紙Ｓ３で比較例よりも５％程度少なく、記録紙Ｓ４では比較例よりも１０％程度少なくなり、優れた性能を示した。
【図面の簡単な説明】
【０１０１】
【図１】本発明に係る画像形成装置の構成図。
【図２】画像形成手段の断面図。
【図３】色補正制御手段のブロック図。
【図４】イエロートナー画像の階調性カーブを示す特性図、露光強度を変更した場合の感光体電位の変化を示す特性図、記録紙の色味が薄い場合の色補正の例を示す特性図。
【図５】かぶりマージンを変更した場合の感光体電位の変化を示す特性図。
【図６】γ補正カーブの例を示す特性図。
【図７】記録紙の色味が濃い場合の色補正例と、感光体の電位２段階変更を示す特性図。
【符号の説明】
【０１０２】
１，１Ｙ，１Ｍ，１Ｃ，１Ｋ  感光体ドラム
２，２Ｙ，２Ｍ，２Ｃ，２Ｋ  帯電手段
３，３Ｙ，３Ｍ，３Ｃ，３Ｋ  露光手段
４，４Ｙ，４Ｍ，４Ｃ，４Ｋ  現像装置
１０，１０Ｙ，１０Ｍ，１０Ｃ，１０Ｋ  画像形成手段
４１  現像剤担持体
５０  地色検知手段
Ａ  画像形成装置
Ｅ１  交流電源
Ｅ２，Ｅ３  直流電源
ＬＥＤ，ＬＥＤ１，ＬＥＤ２，ＬＥＤ３  発光素子
Ｓ，Ｓ１，Ｓ２，Ｓ３，Ｓ４  記録媒体（記録紙）
【図１】
2005208099.tif 000005
【図２】
2005208099.tif 000006
【図３】
2005208099.tif 000007
【図４】
2005208099.tif 000008
【図５】
2005208099.tif 000009
【図６】
2005208099.tif 000010
【図７】
2005208099.tif 000011